(57)【要約】【課題】雌端子と雄端子の接続時の最大荷重を低減しつつ、かかる雌端子の端子収容室に対する半挿入状態を容易かつ確実に把握可能とする。【解決手段】雌端子３が挿入される端子収容室４が形成された雌端子ハウジング５、雌端子に接続される雄端子７を保持する雄端子ハウジング８を備え、雌端子は弾性変形可能な接点部材３ａを内包する筒部に形成された係止穴３ｄが端子収容室に弾性部材からなるランス１１に係合され、雄端子ハウジングと雌端子ハウジングを嵌合させて雄端子を雌端子に接続する構成のコネクタ１において、雄端子ハウジングには、雌端子の係止穴とランスとの係合状態に応じてランスと干渉する干渉部４０が雌端子ハウジングに向けて突設され、干渉部は、雌端子の係止穴とランスの係合前、ランスと干渉して雌端子への雄端子の接続を規制し、雌端子の係止穴とランスの係合後、ランスとは干渉せずに雌端子への雄端子の接続を許容する構成とする。【選択図】  図１
2014026827.tif 000002
【特許請求の範囲】
【請求項１】
雌端子がそれぞれ挿入されて収容される複数の端子収容室が形成された雌端子ハウジングと、前記雌端子に接続される複数の雄端子を保持してなる雄端子ハウジングとを備え、前記雌端子は弾性変形可能な接点部材を内包してなる筒部の一側面に形成された係止穴が前記端子収容室の内壁に弾性部材により形成されたランスに係合され、前記雄端子ハウジングと前記雌端子ハウジングを嵌合させて前記雄端子を前記雌端子の前記接点部材に摺接させて接続する構成のコネクタにおいて、
前記雄端子ハウジングには、前記雌端子の係止穴と前記ランスとの係合状態に応じて前記ランスと干渉する干渉部が前記雌端子ハウジングに向けて突設され、
前記干渉部は、前記端子収容室に挿入された前記雌端子の係止穴と前記ランスとの係合前、前記ランスと干渉して前記雌端子の接点部材への前記雄端子の摺接を規制し、前記端子収容室に挿入された前記雌端子の係止穴と前記ランスとの係合後、前記ランスとは干渉せずに前記雌端子の接点部材への前記雄端子の摺接を許容することを特徴とするコネクタ。
【請求項２】
前記ランスは、前記端子収容室に挿入された前記雌端子の係止穴との係合前、該雌端子に押圧されて弾性撓み変形され、前記端子収容室に挿入された前記雌端子の係止穴との係合後、弾性撓み復帰変形され、
前記干渉部は、弾性撓み変形された前記ランスと干渉し、弾性撓み復帰変形された前記ランスとは干渉しないことを特徴とする請求項１に記載のコネクタ。
【請求項３】
前記雄端子は、前記雄端子ハウジングにインサート成形され、
前記雄端子ハウジングと前記雌端子ハウジングは、嵌合時に第１の嵌合位置と第２の嵌合位置で互いに係合する第１係合部と第２係合部を有して嵌合され、
前記第１の嵌合位置は、前記雌端子の係止穴が前記ランスに係合した位置であって、前記雄端子が前記雌端子の接点部材に摺接する位置よりも手前に設定され、
前記第２の嵌合位置は、前記雄端子が前記雌端子の接点部材に摺接する位置に設定され、
前記雄端子ハウジングと前記雌端子ハウジングの前記第２係合部は、前記第１の嵌合位置において互いに当接する当接部及び被当接部と、前記当接部及び前記被当接部の当接を解除する当接解除部とを有し、
前記当接解除部は、前記雄端子ハウジング及び前記雌端子ハウジングを前記第１の嵌合位置から前記第２の嵌合位置へ移動させる際に、前記当接部を前記被当接部に対して弾性撓み変形させて互いの当接を解除させることを特徴とする請求項１又は２に記載のコネクタ。
【発明の詳細な説明】
【技術分野】
【０００１】
本発明は、複数の雌端子と複数の雄端子とを接続するコネクタの嵌合構造に関する。
【背景技術】
【０００２】
複数の雌端子がそれぞれ収容される複数の端子収容室が形成された雌端子用のハウジングと、複数の雌端子に接続される複数の雄端子を保持してなる雄端子用のハウジングを一体的に形成したコネクタが知られている（例えば、特許文献１）。これによれば、複数の雄端子をハウジングに圧入して雌端子の端子収容室に突出させ、複数の雌端子をそれぞれの端子収容室に挿入して雌端子と雄端子を接続する。特に、特許文献１に記載のコネクタによれば、雌端子を弾性変形可能な接点部材を内包して筒状に形成し、その筒の一側面に形成された係止穴を端子収容室の内壁に弾性部材により形成されたランスに係合させて、雌端子を抜け止めしている。また、その嵌合位置において、雄端子を雌端子の接点部材に摺接させて電気的に接続するように構成されている。
【先行技術文献】
【特許文献】
【０００３】
【特許文献１】特開２０１０−４０２６３号公報
【発明の開示】
【発明が解決しようとする課題】
【０００４】
その一方で、特許文献１に記載のコネクタは、雌端子の挿入力を軽減することについて配慮されていない。すなわち、配線に接続された雌端子を端子収容室の所定位置に挿入するためには、ランスを撓ませる弾性変形力に加えて、雌端子の接点部材を撓ませつつ雄端子を摺動させて所定の位置まで挿入する挿入力が必要になる。この挿入力が大きいために、雌端子挿入作業を行う作業者は半挿入状態にもかかわらず端子挿入作業を終わらせてしまい、雌端子の挿入不具合が発生するおそれがある。
【０００５】
そこで、雄端子ハウジングと雌端子ハウジングを分離して形成し、雌端子を端子収容室に挿入し、ランスに係合させる接続段階（第１の接続）と、ランスに係合させた雌端子の接点部材に雄端子を摺接させる接続段階（第２の接続）に分けて、雌端子と雄端子との接続を行うことが考えられる。この場合、第１の接続を行うための第１の嵌合位置（仮嵌合状態）と、第２の接続を行うための第２の嵌合位置（本嵌合状態）で雄端子ハウジングと雌端子ハウジングをそれぞれ嵌合可能な構成とすればよい。
【０００６】
しかしながら、このような構成とした場合であっても、雄端子ハウジングと雌端子ハウジングを仮嵌合状態から本嵌合状態へ移行させる際、雌端子が半挿入状態となっていないことが容易かつ確実に把握可能であることが必要となる。例えば、仮嵌合状態から本嵌合状態へ移行させる際の初期荷重（抗力）と雌端子の半挿入状態時の抵抗（フィーリング）との区別が付き難い場合、雌端子が半挿入状態となっているにもかかわらず、雄端子ハウジングと雌端子ハウジングを誤って仮嵌合状態から本嵌合状態へ移行させてしまうおそれがある。その際、雄端子や雌端子に過剰な押圧力が負荷されて損傷が生じる可能性もある。
【０００７】
本発明はこれを踏まえてなされたものであり、その解決しようとする課題は、雄端子と雌端子の接続時の最大荷重（負荷）を低減しつつ、かかる雌端子の端子収容室に対する半挿入状態を容易かつ確実に把握可能とすることにある。
【課題を解決するための手段】
【０００８】
上記課題を解決するため、本発明は、雌端子がそれぞれ挿入されて収容される複数の端子収容室が形成された雌端子ハウジングと、前記雌端子に接続される複数の雄端子を保持してなる雄端子ハウジングとを備え、前記雌端子は弾性変形可能な接点部材を内包してなる筒部の一側面に形成された係止穴が前記端子収容室の内壁に弾性部材により形成されたランスに係合され、前記雄端子ハウジングと前記雌端子ハウジングを嵌合させて前記雄端子を前記雌端子の前記接点部材に摺接させて接続する構成のコネクタにおいて、前記雄端子ハウジングには、前記雌端子の係止穴と前記ランスとの係合状態に応じて前記ランスと干渉する干渉部が前記雌端子ハウジングに向けて突設され、前記干渉部は、前記端子収容室に挿入された前記雌端子の係止穴と前記ランスとの係合前、前記ランスと干渉して前記雌端子の接点部材への前記雄端子の摺接を規制し、前記端子収容室に挿入された前記雌端子の係止穴と前記ランスとの係合後、前記ランスとは干渉せずに前記雌端子の接点部材への前記雄端子の摺接を許容することを特徴とする。
【０００９】
これによれば、端子収容室に挿入された雌端子の係止穴とランスとが係合した状態（本挿入状態）においては、雄端子を雌端子の接点部材に摺接させて接続することができる。一方、端子収容室に挿入された雌端子の係止穴とランスとが係合していない状態（半挿入状態）においては、干渉部をランスと干渉させることができ、雄端子を雌端子の接点部材に接続させないようにすることができる。このように、半挿入状態と本挿入状態を容易に区別することができ、雄端子を無理やり雌端子の接点部材に摺接させて接続させるような事態を防止することが可能となる。
【００１０】
この場合、前記ランスは、前記端子収容室に挿入された前記雌端子の係止穴との係合前、該雌端子に押圧されて弾性撓み変形され、前記端子収容室に挿入された前記雌端子の係止穴との係合後、弾性撓み復帰変形され、前記干渉部は、弾性撓み変形された前記ランスと干渉し、弾性撓み復帰変形された前記ランスとは干渉しない構成とすればよい。
【００１１】
また、前記雄端子は、前記雄端子ハウジングにインサート成形され、前記雄端子ハウジングと前記雌端子ハウジングは、嵌合時に第１の嵌合位置と第２の嵌合位置で互いに係合する第１係合部と第２係合部を有して嵌合され、前記第１の嵌合位置は、前記雌端子の係止穴が前記ランスに係合した位置であって、前記雄端子が前記雌端子の接点部材に摺接する位置よりも手前に設定され、前記第２の嵌合位置は、前記雄端子が前記雌端子の接点部材に摺接する位置に設定され、前記雄端子ハウジングと前記雌端子ハウジングの前記第２係合部は、前記第１の嵌合位置において互いに当接する当接部及び被当接部と、前記当接部及び前記被当接部の当接を解除する当接解除部とを有し、前記当接解除部は、前記雄端子ハウジング及び前記雌端子ハウジングを前記第１の嵌合位置から前記第２の嵌合位置へ移動させる際に、前記当接部を前記被当接部に対して弾性撓み変形させて互いの当接を解除させる構成とすることが可能である。
【発明の効果】
【００１２】
本発明によれば、雄端子と雌端子の接続時の最大荷重（負荷）を低減することができるとともに、かかる雌端子の端子収容室に対する半挿入状態を容易かつ確実に把握することができる。
【図面の簡単な説明】
【００１３】
【図１】本発明の一実施形態に係るコネクタの全体構成を示す斜視図であって、(ａ)は雄端子ハウジングと雌端子ハウジングを分離させた状態（嵌合前状態）を示す図、(ｂ)は第１の嵌合状態（仮嵌合状態）を示す図、(ｃ)は第２の嵌合状態（本嵌合状態）を示す図である。
【図２】本発明の一実施形態に係るコネクタの全体構成を示す断面図であって、(ａ)は半挿入状態を示す図、(ｂ)は第１の嵌合状態において雌端子を挿入した状態を示す図、(ｃ)は第２の嵌合状態において雌端子が挿入された状態を示す図である。
【図３】コネクタの雌端子ハウジング側の端面図である。
【図４】図３の矢印Ａ３部分における横断面を矢印方向から示す図であって、(ａ)は第１の嵌合状態前の状態を示す断面図、(ｂ)は第１の嵌合状態から第２の嵌合状態への移行を開始させる際の状態を示す断面図、(ｃ)は第２の嵌合状態を示す断面図である。
【発明を実施するための形態】
【００１４】
以下、本発明のコネクタについて、添付図面を参照して説明する。図１及び図２には、本発明の一実施形態に係るコネクタの構成を示している。図１(ａ)は、雄端子ハウジングと雌端子ハウジングを分離させた状態（嵌合前状態）を示す斜視図、同図(ｂ)は、後述する第１の嵌合状態（仮嵌合状態）を示す斜視図、同図(ｃ)は、後述する第２の嵌合状態（本嵌合状態）を示す斜視図である。なお、図１(ａ)〜(ｃ)において、雌端子は図示を省略している。また、図２(ａ)は、後述する半挿入状態を示す断面図、同図(ｂ)は、第１の嵌合状態において雌端子を挿入した状態を示す断面図、同図(ｃ)は、第２の嵌合状態において雌端子が挿入された状態を示す断面図である。
【００１５】
図１及び図２に示すように、コネクタ１は、雌端子３がそれぞれ挿入されて収容される複数の端子収容室４が形成された雌端子ハウジング５と、雌端子３に接続される複数の雄端子７を保持してなる雄端子ハウジング８とを備えている。この場合、雌端子３は、弾性変形可能な接点部材３ａを内包してなる筒部の一側面に形成された係止穴３ｄが端子収容室４の内壁に弾性部材により形成されたランス１１に係合される。そして、雄端子ハウジング８と雌端子ハウジング５を嵌合させることで、コネクタ１は、雄端子７を雌端子３の接点部材３ａに摺接させて接続する。なお、雌端子ハウジング５と雄端子ハウジング８の材質は弾性を有していれば特に限定されないが、本実施形態においてはいずれのハウジング５,８も樹脂により構成されている場合を一例として想定する。
【００１６】
雌端子３は、弾性変形可能な接点部材３ａを内包して筒状に形成された接点部３ｂと、電線２が圧着された圧着端子部３ｃと、電線２の端部外周に装着されたリングパッキン２ａを備えて形成されている。雌端子ハウジング５の端子収容室４は、雌端子３の接点部３ｂが収容される矩形筒状の収容室（以下、矩形筒部という。）４ａと、圧着端子部３ｃ及び電線２のリングパッキン２ａが収容される円筒状の収容室（同、円筒部という。）４ｂとを備えて形成されている。矩形筒部４ａは、円筒部４ｂよりも雄端子ハウジング８側に位置付けられている。
【００１７】
ランス１１は、端子収容室４の矩形筒部４ａの所定側（図２においては、下側）の内壁に形成されている。この場合、ランス１１は、雌端子ハウジング５と同一の樹脂で、電線２が収容される端子収容室４の円筒部４ｂから、雌端子３が収容される矩形筒部４ａに伸延させて片持ち状に一体成形されている。なお、ランス１１は、雌端子３の数に応じて、端子収容室４に１つずつ、雌端子ハウジング５に対して雌端子３と同数形成すればよい。
【００１８】
また、ランス１１は、端子収容室４に挿入された雌端子３の係止穴３ｄとの係合前（図２(ａ)に示す状態。以下、この状態を半挿入状態という。）、該雌端子３に押圧されて弾性撓み変形され、端子収容室４に挿入された雌端子３の係止穴３ｄとの係合後（同図(ｂ)に示す状態。以下、この状態を本挿入状態という。）、弾性撓み復帰変形される。具体的には、半挿入状態において、ランス１１は端子収容室４の矩形状部４ａから退出するように（図２(ａ)においては、下側に）弾性撓み変形する。そして、本挿入状態において、ランス１１は雌端子３の係止穴３ｄの位置で端子収容室４の矩形状部４ａへ進出するように（図２(ｂ)においては、上側に）弾性撓み復帰変形し、雌端子３の係止穴３ｄと係合する。このように、本挿入状態においては、雌端子３がランス１１と係止され、雌端子３の抜け止めがなされる。なお、雌端子ハウジング５には、端子収容部４の矩形状部４ａの外周面から張り出すように筒状の雌フード１２が設けられている。
【００１９】
雄端子ハウジング８には、雌端子３に挿入接続される複数の雄端子７がインサート成形されて保持されている。各雄端子７は、板状の導体からなり、その先端が雌端子ハウジング５の端子収容室４の矩形状部４ａに進入し、雌端子３の接点部材３ａと摺動接続可能に形成されている。また、複数の雄端子７は、バスバ６に接続され、バスバ６を介して外部導体（一例として、接地導体）に接続固定されるようになっている。雄端子ハウジング８の基部８ａには、雌端子ハウジング５の雌フード１２が被冠される本体部９が形成されている。なお、本体部９と雌フード１２との間にリング状の密封部材（例えば、防水パッキン等）を装着することで、雄端子７と雌端子３との接続部分への浸水を防止することができ、コネクタ１を防水構造とすることが可能となる。
【００２０】
上述したように、コネクタ１は、雄端子ハウジング８と雌端子ハウジング５を嵌合させて雄端子７を雌端子３の接点部材３ａに摺接させて接続するように構成されている。この場合、雄端子ハウジング８と雌端子ハウジング５は、嵌合時に第１の嵌合位置と第２の嵌合位置で互いに係合する第１係合部と第２係合部を有し、２段階で嵌合する。第１の嵌合位置は、図１(ｂ)及び図２(ｂ)に示すように、雌端子３の係止穴３ｄがランス１１に係合した位置で、かつ雄端子７が雌端子３の接点部材３ａに摺接する位置よりも手前に設定されている。また、第２の嵌合位置は、図１(ｃ)及び図２(ｃ)に示すように、雄端子７が雌端子３の接点部材３ａに摺接する位置に設定されている。以下の説明においては、雄端子ハウジング８と雌端子ハウジング５が第１の嵌合位置にある状態を第１の嵌合状態、第２の嵌合位置にある状態を第２の嵌合状態という。なお、第１の嵌合状態及び第２の嵌合状態においては、雌端子３の係止穴３ｄとランス１１とが係合された状態となっており、いずれも本挿入状態に相当する。このように、コネクタ１は、雄端子ハウジング８及び雌端子ハウジング５を第１の嵌合状態から第２の嵌合状態へ移行させる（第１の嵌合位置から第２の嵌合位置へ移動させる）ことで、雄端子７が雌端子３の接点部材３ａと摺接する構成となっている。
【００２１】
本実施形態において、雄端子ハウジング８には、雌端子３の係止穴３ｄとランス１１との係合状態（半挿入状態及び本挿入状態）に応じてランス１１と干渉する干渉部（以下、半挿入検知ピンという。）４０が雌端子ハウジング５に向けて突設されている。図１(ａ)及び図２には、ランス１１に向けて伸延された板状の干渉部４０の構成を一例として示している。なお、半挿入検知ピン４０は、ランス１１の数、別の捉え方をすれば、端子収容室４に挿入される雌端子３の数（換言すれば、雄端子ハウジング８に形成された雄端子７の数）に応じて、これと同数だけ雄端子ハウジング８に対して設ければよい。一例として、図１及び図２に示す構成においては、端子収容室４に挿入される８つの雌端子３に対応するように、８つの半挿入検知ピン４０が雄端子ハウジング８に設けられている。
【００２２】
半挿入検知ピン４０は、端子収容室４に挿入された雌端子３の係止穴３ｄとランス１１との係合前、つまり半挿入状態において、ランス１１と干渉して雌端子３の接点部材３ａへの雄端子７の摺接を規制する。その一方で、半挿入検知ピン４０は、端子収容室４に挿入された雌端子３の係止穴３ｄとランス１１との係合後、つまり本挿入状態において、ランス１１とは干渉せずに雌端子３の接点部材３ａへの雄端子７の摺接を許容する。すなわち、半挿入検知ピン４０は、半挿入状態において弾性撓み変形されたランス１１と干渉するのに対し、本挿入状態において弾性撓み復帰変形されたランス１１とは干渉しない。
【００２３】
ここで、図２(ａ)に示すように、雄端子ハウジング８及び雌端子ハウジング５が第１の嵌合状態となる前に、ランス１１と雌端子３の係止穴３ｄとの係合状態が半挿入状態となっている場合、かかるランス１１は、雌端子３に押圧されて端子収容室４の矩形状部４ａから退出するように弾性撓み変形されている。このように弾性撓み変形した状態においては、ランス１１が片持ち部分の空隙部１１ａを塞いだ状態となる。空隙部１１ａは、雄端子７を雌端子３の接点部材３ａに摺接する位置（第２の嵌合位置）へ移動させる際に、半挿入検知ピン４０の進入経路となる空隙である。つまり、弾性撓み変形したランス１１は、かかる半挿入検知ピン４０の進入経路を塞いだ状態となっている。したがって、雌端子３を接点部材３ａに摺接させるべく、雄端子ハウジング８及び雌端子ハウジング５を第１の嵌合状態から第２の嵌合状態へ移行させようとしても、半挿入検知ピン４０がランス１１と干渉するため、半挿入検知ピン４０を空隙部１１ａへ進入させることはできない。すなわち、半挿入状態では、雄端子ハウジング８及び雌端子ハウジング５を第１の嵌合状態から第２の嵌合状態へ移行させることができず、雄端子７を雌端子３の接点部材３ａに摺接させることが不可能となる。
【００２４】
これに対し、第１の嵌合状態（本挿入状態に相当）においては、半挿入検知ピン４０とランス１１は干渉せず、先端部同士を互いに非接触状態で対向させている（図２(ｂ)に示す状態）。また、半挿入検知ピン４０は、雄端子７よりも雌端子ハウジング５（端的には、ランス１１）へ向けて突出した構成となっており、雄端子７は、第１の嵌合状態では、雌端子３の接点部材３ａに摺接しない。そして、雄端子７を雌端子３の接点部材３ａに摺接させるべく、雄端子ハウジング８及び雌端子ハウジング５を第１の嵌合状態から第２の嵌合状態へ移行させる際、半挿入検知ピン４０は、ランス１１の空隙部１１ａへ進入する（図２(ｃ)に示す状態）。なお、半挿入検知ピン４０は、第１の嵌合状態から第２の嵌合状態への移行時にランス１１に突き当たった際、空隙部１１ａへスムーズに進入することが可能となるように先端の突き当て面（図２においては、先端上面）４０ａをランス１１へ向けて下降するように傾斜させた構成となっている。このように半挿入検知ピン４０をランス１１の空隙部１１ａへ進入させることで、雄端子７の先端が端子収容部４の矩形状部４ａに進入して第２の嵌合位置に位置付けられ、雄端子７を雌端子３の接点部材３ａに摺接させることができる。すなわち、本挿入状態では、雄端子ハウジング８及び雌端子ハウジング５を第１の嵌合状態から第２の嵌合状態へ移行させることができ、雄端子７を雌端子３の接点部材３ａに摺接させることが可能となる。
【００２５】
このように、半挿入検知ピン４０は、雌端子３の係止穴３ｄとランス１１との係合状態が半挿入状態もしくは本挿入状態のいずれであるのかを検知する（端的には、作業者に認識させる）機能、ひいては、雄端子ハウジング８及び雌端子ハウジング５を第１の嵌合状態から第２の嵌合状態へ移行させ、雄端子７を雌端子３の接点部材３ａに摺接させることの可否を検知する機能を有している。
【００２６】
次に、第１の嵌合位置と第２の嵌合位置で係合する第１係合部と第２係合部の構成について説明する。第１の係合部は、雄端子ハウジング８に設けられた仮係止アーム１３と、雌端子ハウジング５に設けられた仮係止突起１４を備えて構成されている。仮係止アーム１３は、雄端子ハウジング８の基部８ａの外周面（図１及び図２においては、上下面）から雌端子ハウジング５の雌フード１２の外周面に向けて板状に伸延されており、雄端子ハウジング８と雌端子ハウジング５との嵌合方向に伸延して形成された仮係止溝１３ａを有している。また、仮係止突起１４は、仮係止溝１３ａに対応させて雌端子ハウジング５の雌フード１２の外周面（図１及び図２においては、上下面）から突出するように設けられている。そして、雄端子ハウジング８と雌端子ハウジング５の嵌合を開始した時、仮係止アーム１３が仮係止突起１４に突き当たって乗り上がり易いように、仮係止アーム１３の先端の突き当て面（図２においては、先端下面もしくは先端上面）及び仮係止突起１４の突き当て部位（同各図においては、上端部もしくは下端部）が互いに沿うように傾斜して形成されている。さらに、雄端子ハウジング８と雌端子ハウジング５の嵌合を進めると、仮係止突起１４が仮係止アーム１３の仮係止溝１３ａ内に落ち込んで第１の嵌合位置になる。そして、雌端子３を端子収容室４に挿入し、雌端子３の係合穴３ｄをランス１１に係止させて抜け止めする（図２(ｂ)に示す状態）。これにより、雄端子ハウジング８及び雌端子ハウジング５は、第１の嵌合状態となる。このように第１の嵌合状態となると、雄端子ハウジング８と雌端子ハウジング５との嵌合を解除するには、仮係止アーム１３を反らせて仮係止溝１３ａと仮係止突起１４との係止を解除することになるが、板状の仮係止アーム１３を反らすだけの解除力で済む。
【００２７】
一方、第２の係合部は、雄端子ハウジング８に設けられた一対の本係止アーム１５と、雌端子ハウジング５に設けられた一対の本係止突起１６を備えて構成されている。本係止アーム１５は、雄端子ハウジング８の基部８ａの外周面（図１及び図２においては、前後(表裏)面）から雌端子ハウジング５の雌フード１２の外周面に向けて板状に伸延されており、雄端子ハウジング８と雌端子ハウジング５との嵌合方向に伸延して形成された本係止溝１５ａを有している。また、本係止突起１６は、仮係止溝１５ａに対応させて雌端子ハウジング５の雌フード１２の外周面（図１及び図２においては、前後(表裏)面）から突出するように設けられている。そして、雄端子ハウジング８及び雌端子ハウジング５を第１の嵌合位置から第２の嵌合位置へ移動させる時、本係止アーム１５が本係止突起１６に突き当たって乗り上がり易いように、本係止アーム１５の先端の突き当て部位及び仮係止突起１４の突き当て部位が互いに沿うように傾斜して形成されている。
【００２８】
また、本実施形態において、第２の係合部は、第１の嵌合位置において互いに当接する当接部及び被当接部と、これら当接部及び被当接部の当接を解除する当接解除部とを有している。かかる当接解除部は、雄端子ハウジング８及び雌端子ハウジング５を第１の嵌合位置から第２の嵌合位置へ移動させる際に、当接部を被当接部に対して弾性撓み変形させて互いの当接を解除させる。図３及び図４には、当接部及び被当接部、当接解除部の構成を示している。図３は、コネクタ１の雌端子ハウジング５側の端面図である。図４は、図３の矢印Ａ３部分における横断面を矢印方向から示す図であって、同図(ａ)は第１の嵌合状態前の状態を示す断面図、同図(ｂ)は第１の嵌合状態から第２の嵌合状態への移行を開始させる際の状態を示す断面図、同図(ｃ)は第２の嵌合状態を示す断面図である。
【００２９】
この場合、本係止アーム１５には、当接部として、本係止溝１５ａと交差するように該本係止溝１５ａに渡されたアーム係止部１５ｂが設けられている。アーム係止部１５ｂは、第１の嵌合位置において、該第１の嵌合位置から第２の嵌合位置への移動方向側（図４(ｂ)においては、右側）から本係止突起１６と当接している。換言すれば、第１の嵌合位置においてアーム係止部１５ｂと丁度突き当たる位置に、本係止突起１６が雌端子ハウジング５の雌フード１２に対して設けられている。これにより、本係止突起１６は、第２の係合部としてだけでなく、被当接部としても機能する。
【００３０】
また、本係止アーム１５には、当接解除部として、アーム先端に解除突起１５ｃが設けられている。解除突起１５ｃは、本係止アーム１５の本体部１５ｄの先端からさらに雌端子ハウジング５の雌フード１２の外周面に向けて伸延されている。この場合、解除突起１５ｃは、その幅寸法（例えば、図１における上下方向に対する寸法）が本体部１５ｄの幅寸法よりも小寸（幅狭）に構成されている。また、解除突起１５ｃは、本体部１５ｄの肉厚（板厚）よりも厚肉となるように、外側（図４においては、上側）へ向けて膨出されている。ただし、解除突起１５ｃの内側（図４においては、下側）は、本体部１５ｄと面一に連続し、雌端子ハウジング５の外周面に沿う平坦状をなしている。
【００３１】
これに対し、雌端子ハウジング５には、当接解除部として、解除凹部１２ａが形成されている。解除凹部１２ａは、解除突起１５ｃに対応させて雌フード１２の外周面（図１及び図２においては、前後(表裏)面）を窪ませるように形成されている。この場合、解除凹部１２ａは、第１の嵌合状態において、解除突起１５ｃを解除凹部１２ａへ向けて押し込み、押し込んだ解除突起１５ｃを収容することが可能な窪み（逃げ部）として機能する。したがって、解除凹部１２ａの大きさ（図４の左右方向の寸法に相当する長さや同図の上下方向の寸法に相当する深さ）は、解除突起１５ｃを押し込んで収容することが可能となるように設定すればよい。ただし、解除突起１５ｃの全体が解除凹部１２ａに収容される必要はない。例えば、後述するように、解除突起１５ｃを解除凹部１２ａへ向けて押し込んで収容させることで、アーム係止部１５ｂを本係止突起１６に対して弾性撓み変形させて互いの当接を解除可能となるように、解除凹部１２ａの深さ（同図の上下方向の寸法に相当）は、本係止突起１６の雌フード１２の外周面からの突出高さよりも大寸となるように設定しておけばよい。なお、雌端子ハウジング５には、第２の嵌合状態において解除突起１５ｃを挟み込むように支持する一対の突起支持部１２ｂが、解除凹部１２ａの長さ方向の端部（図４における左端部）から突出させて設けられている。
【００３２】
当接解除部として解除突起１５ｃ及び解除凹部１２ａを備えることで、第１の嵌合状態から第２の嵌合状態への移行を開始させる際、アーム係止部１５ｂを本係止突起１６に対して弾性撓み変形させて互いの当接を解除させることができる。すなわち、雄端子ハウジング８及び雌端子ハウジング５が第１の嵌合状態となっている場合、本係止アーム１５は、解除突起１５ｃを解除凹部１２ａと対向させた状態で、アーム係止部１５ｂを本係止突起１６に当接させた状態となっている（図４(ｂ)に実線で示す状態）。かかる第１の嵌合状態において、解除突起１５ｃを解除凹部１２ａへ向けて押し込んで収容させると、つまり、解除突起１５ｃに対して解除凹部１２ａへの押込力（図４(ｂ)に矢印Ｆで示す力）を作用させると、本係止アーム１５は弾性撓み変形して外側（図４(ｂ)においては、上側）へ膨出した状態となる（同図に鎖線で示す状態）。例えば、一対の解除突起１５ｃを挟み付けるようにつまむことで、解除凹部１２ａへの押込力Ｆを作用させることができる。これにより、アーム係止部１５ｂを本係止突起１６から離隔させることができ、アーム係止部１５ｂと本係止突起１６の当接を解除させることができる。
【００３３】
本係止アーム１５がこのように弾性撓み変形された状態で、第１の嵌合状態から第２の嵌合状態への移行を開始させると、アーム係止部１５ｂと本係止突起１６の当接が解除されているため、アーム係止部１５ｂは、スムーズに本係止突起１６を乗り越えることができる。そして、アーム係止部１５ｂが本係止突起１６を乗り越えた後、解除突起１５ｃに対する押込力Ｆを解くことで、本係止アーム１５が弾性撓み復帰変形され、本係止突起１６が本係止溝１５ａ内に係止される。その際、アーム係止部１５ｂは、第１の嵌合位置から第２の嵌合位置への移動方向とは反対側（図４(ｃ)においては、左側）から本係止突起１６と当接する。また、解除突起１５ｃは、一対の突起支持部１２ｂで挟み込まれるように支持される。これにより、雄端子ハウジング８及び雌端子ハウジング５を第２の嵌合状態とすることができる（図１(ｃ)及び図４(ｃ)に示す状態）。
【００３４】
このように、第１の嵌合状態から第２の嵌合状態へ移行させる際、解除突起１５ｃに対して解除凹部１２ａへの押込力Ｆを作用させ、本係止アーム１５の弾性撓み変形によってアーム係止部１５ｂと本係止突起１６の当接を解除させることで、かかる移行時に負荷する荷重（初期荷重）は小さくて済む。上述したように、半挿入状態では、第１の嵌合状態から第２の嵌合状態へ移行させることができず、その際には、半挿入検知ピン４０とランス１１との干渉荷重が負荷されることによる抵抗が生じる。かかる抵抗は上記初期荷重よりもはるかに大きいため、両者の相違を容易かつ明確に作業者に区別させることができる。
【００３５】
また、上述したように、本実施形態においては、雄端子７と雌端子３を接続するにあたって、雄端子ハウジング８及び雌端子ハウジング５を２段階（第１の嵌合状態及び第２の嵌合状態）で嵌合させている。その際、第１の嵌合位置は、雌端子３の係止穴３ｄがランス１１に係合した位置であって、雄端子７が雌端子３の接点部材３ａに摺接する位置よりも手前に設定している。第１の嵌合状態は仮嵌合の状態であるから、第１の嵌合状態とするためには、雌端子３がランス１１を弾性撓み変形させる挿入力に相当する荷重を負荷すれば足りる。また、第１の嵌合状態においては、本係止アーム１５が本係止突起１６に当接し、仮係止アーム１３の仮係止溝１３ａと仮係止突起１４とが係止しているから、図１(ｂ)に示す矢印３０,３１のいずれの方向に力が加わっても、仮嵌合の状態が保持される。
【００３６】
そして、第１の嵌合状態から第２の嵌合状態へ移行させるべく、解除突起１５ｃに対して解除凹部１２ａへの押込力Ｆを作用して本係止アーム１５を弾性撓み変形させ、アーム係止部１５ｂと本係止突起１６の当接を解除させつつ、図１(ｂ)の矢印３０の方向に力を加えると、解除突起１５ｃが係止突起１６を乗り越えて移動される。そのまま、雄端子ハウジング８及び雌端子ハウジング５を第２の嵌合位置まで移動させ、解除突起１５ｃに対する押込力Ｆを解いてこれらのハウジング８,５を嵌合させると、雌端子３の接点部材３ａを撓ませつつ、雄端子７が摺動して所定の位置まで挿入されて両端子が接続され、第２の嵌合状態となる。第２の嵌合状態は本嵌合の状態であり、かかる本嵌合の状態とするために負荷する荷重は、雌端子３の接点部材３ａの撓み力と、雄端子７と接点部材３ａとの摺動摩擦のみであり、ランス１１を弾性撓み変形させるための荷重は加わらない。
【００３７】
したがって、雄端子７と雌端子３を接続するために負荷する荷重を第１の嵌合状態とするための荷重と第２の嵌合状態とするための荷重に分散することができ、かかる接続における最大荷重を低減することができる。
【００３８】
以上、本実施形態に係るコネクタ１によれば、雄端子７と雌端子３の接続時の最大荷重を低減することができるとともに、かかる雌端子３の端子収容室４に対する半挿入状態を容易かつ確実に把握することができる。すなわち、第１の嵌合状態（仮嵌合状態）から第２の嵌合状態（本嵌合状態）へ移行させる際の初期荷重（抗力）と雌端子の半挿入状態時の抵抗（フィーリング）とを容易に区別でき、例えば、雌端子３が半挿入状態となっているにもかかわらず、雄端子ハウジング８と雌端子ハウジング５を誤って仮嵌合状態から本嵌合状態へ移行させてしまう作業ミスを確実に防止することが可能となる。結果として、雄端子７や雌端子３に過剰な押圧力が負荷されて損傷が生じる不具合を回避することも可能となる。
【符号の説明】
【００３９】
１    コネクタ
３    雌端子
３ａ  接点部材
３ｄ  係止穴
４    端子収容室
５    雌端子ハウジング
７    雄端子
８    雄端子ハウジング
１１  ランス
４０  干渉部（半挿入検知ピン）
【図１】
2014026827.tif 000003
【図２】
2014026827.tif 000004
【図３】
2014026827.tif 000005
【図４】
2014026827.tif 000006